(57)【要約】【課題】設置困難な移動手摺の帰路側ではなく移動手摺の往路側に簡単に設置できる乗客コンベア用移動手摺の潤滑剤塗布装置を得る。【解決手段】移動手摺を摺動案内し、垂直側壁の上端部が水平方向に延長されて上端水平部が形成されたＵ字状の案内レールと、往路側案内レールの垂直側壁の上端部の一部と上端水平部の一部を切り欠いて形成され、往路側の案内レールの収容空間と連通する開口部と、往路側の案内レールの開口部が形成されている収容空間内に設置され、潤滑剤形成部が案内レールの延長方向と直交する方向に移動可能に構成され、開口部を通して移動手摺の内側端部と対向して配置された潤滑剤塗布手段とを備え、潤滑剤塗布手段の潤滑剤形成部は、通常時は移動手摺の内側端部から引っ込んだ状態にあり、潤滑剤塗布時は開口部を通して移動手摺の内側端部に突出した状態となって移動手摺の内側端部に接触する。【選択図】図４
2014024671.tif 000002
【特許請求の範囲】
【請求項１】
横断面Ｃ字状の移動手摺と、
前記移動手摺を摺動案内し、両側の垂直側壁の上端部が外方に水平方向に延長されて上端水平部が形成されたＵ字状の案内レールと、
往路側の前記案内レールの垂直側壁の上端部の一部と上端水平部の一部を切り欠いて形成され、往路側の案内レールの内部収容空間と連通する開口部と、
往路側の案内レールの前記開口部が形成されている部位の収容空間内に設置され、潤滑剤形成部が前記移動手摺及び案内レールの延長方向と直交する方向に移動可能に構成され、前記開口部を通して前記移動手摺の内側端部と対向して配置された潤滑剤塗布手段とを備え、
前記潤滑剤塗布手段の潤滑剤形成部は、通常時は前記移動手摺の内側端部から引っ込んだ状態にあり、潤滑剤塗布時は前記開口部を通して前記移動手摺の内側端部に向かって突出した状態となって前記移動手摺の内側端部に接触することを特徴とする乗客コンベア用移動手摺の潤滑剤塗布装置。
【請求項２】
潤滑剤塗布手段は、案内レールの開口部が形成されている部位の収容空間内に設置された内部磁石と、潤滑剤形成部を常時引っ込んだ状態に付勢するばねと、前記案内レールの外側に設置され、潤滑剤塗布時に前記内部磁石を吸引することにより前記潤滑剤形成部を突出状態とする外部磁石とから構成したことを特徴とする請求項１記載の乗客コンベア用移動手摺の潤滑剤塗布装置。
【請求項３】
潤滑剤塗布手段は、案内レールの開口部が形成されている部位の収容空間内に固定されたコ字状の枠体と、前記枠体の天井部下面の両側に対向して設けられ、移動手摺及び案内レールの延長方向と直交する方向に配置された左右一対の潤滑剤案内レールと、前記潤滑剤案内レール間に設けられ、移動手摺及び案内レールの延長方向と直交する方向に摺動可能に構成された潤滑剤案内板と、前記潤滑剤案内板の先端部に固定され、移動手摺及び案内レールの延長方向と直交する方向に移動可能な潤滑剤固定部と、前記潤滑剤固定部の先端部及び上下面に設けられ、前記開口部を通して前記移動手摺の内側端部と対向して配置された潤滑剤形成部とを備えていることを特徴とする請求項２記載の乗客コンベア用移動手摺の潤滑剤塗布装置。
【請求項４】
潤滑剤塗布手段は、案内レールの開口部が形成されている部位の収容空間内に設置され、潤滑剤形成部を常時突出状態に付勢するばねと、通常時は前記潤滑剤形成部を前記移動手摺の内側端部から引っ込んだ位置に規制するとともに、潤滑剤塗布時は前記規制を解除することにより前記潤滑剤形成部を前記移動手摺の内側端部に向かって突出した状態とする規制装置とから構成したことを特徴とする請求項１記載の乗客コンベア用移動手摺の潤滑剤塗布装置。
【発明の詳細な説明】
【技術分野】
【０００１】
この発明は、乗客コンベア用移動手摺の潤滑剤塗布装置に関し、特に、移動手摺の帰路側ではなく、移動手摺の往路側に設置される潤滑剤塗布装置に関するものである。
【背景技術】
【０００２】
従来、乗客コンベア用移動手摺の走行抵抗を低減するために、移動手摺の内面摺動部にパラフィン等の潤滑剤を塗布している。その一例として、移動手摺の案内レールとの接触部分に対向配置される固形潤滑剤と、エスカレータの静止部材に固定されて案内レールが部分的に欠除している部位に位置し、固形潤滑剤を保持するとともに接触部分に押圧する保持具を備えた移動手摺と案内レールの潤滑装置が知られている（例えば、特許文献１参照）。また、移動手摺の帰路側の内面摺動部に移動可能に設けられ、移動手摺の移動に伴い内面摺動部に薬剤を塗布する薬剤塗布器と、エスカレータのトラスに固定され、薬剤塗布器にワイヤで結ばれ、薬剤塗布器の張力に基づいて移動手摺の走行異常を検出する検出器とを設けたエスカレータの移動手摺監視装置が知られている（例えば、特許文献２参照）。さらに、上記以外にも、乗客コンベアの移動手摺用潤滑剤塗布装置（例えば、特許文献３参照）や、乗客コンベアの手摺監視装置（例えば、特許文献４参照）等が知られている。
【先行技術文献】
【特許文献】
【０００３】
【特許文献１】実開昭６０−１２５７９号公報
【特許文献２】特開２００６−１８２５３４号公報
【特許文献３】特開２００７−２８４２２０号公報
【特許文献４】特開２０１０−３７０４０号公報
【発明の概要】
【発明が解決しようとする課題】
【０００４】
従来技術による乗客コンベア用移動手摺の内面摺動部にパラフィン等の潤滑剤を塗布する装置においては、いずれも移動手摺の帰路側に潤滑剤塗布装置が設置されており、しかもその構成が比較的複雑で、限られた帰路側のスペースに設置するには困難であった。
【０００５】
この発明は、上述のような課題を解決するためになされたもので、設置が困難な移動手摺の帰路側ではなく、移動手摺の往路側に簡単に設置できるようにした乗客コンベア用移動手摺の潤滑剤塗布装置を提供するものである。
【課題を解決するための手段】
【０００６】
この発明に係る乗客コンベア用移動手摺の潤滑剤塗布装置においては、横断面Ｃ字状の移動手摺と、移動手摺を摺動案内し、両側の垂直側壁の上端部が外方に水平方向に延長されて上端水平部が形成されたＵ字状の案内レールと、往路側の案内レールの垂直側壁の上端部の一部と上端水平部の一部を切り欠いて形成され、往路側の案内レールの内部収容空間と連通する開口部と、往路側の案内レールの開口部が形成されている部位の収容空間内に設置され、潤滑剤形成部が移動手摺及び案内レールの延長方向と直交する方向に移動可能に構成され、開口部を通して移動手摺の内側端部と対向して配置された潤滑剤塗布手段とを備え、潤滑剤塗布手段の潤滑剤形成部は、通常時は移動手摺の内側端部から引っ込んだ状態にあり、潤滑剤塗布時は開口部を通して移動手摺の内側端部に向かって突出した状態となって移動手摺の内側端部に接触するものである。
【０００７】
また、潤滑剤塗布手段は、案内レールの開口部が形成されている部位の収容空間内に設置された内部磁石と、潤滑剤形成部を常時引っ込んだ状態に付勢するばねと、案内レールの外側に設置され、潤滑剤塗布時に内部磁石を吸引することにより潤滑剤形成部を突出状態とする外部磁石とから構成したものである。
【０００８】
また、潤滑剤塗布手段は、案内レールの開口部が形成されている部位の収容空間内に固定されたコ字状の枠体と、枠体の天井部下面の両側に対向して設けられ、移動手摺及び案内レールの延長方向と直交する方向に配置された左右一対の潤滑剤案内レールと、潤滑剤案内レール間に設けられ、移動手摺及び案内レールの延長方向と直交する方向に摺動可能に構成された潤滑剤案内板と、潤滑剤案内板の先端部に固定され、移動手摺及び案内レールの延長方向と直交する方向に移動可能な潤滑剤固定部と、潤滑剤固定部の先端部及び上下面に設けられ、開口部を通して移動手摺の内側端部と対向して配置された潤滑剤形成部とを備えているものである。
【０００９】
また、潤滑剤塗布手段は、案内レールの開口部が形成されている部位の収容空間内に設置され、潤滑剤形成部を常時突出状態に付勢するばねと、通常時は潤滑剤形成部を移動手摺の内側端部から引っ込んだ位置に規制するとともに、潤滑剤塗布時は規制を解除することにより潤滑剤形成部を移動手摺の内側端部に向かって突出した状態とする規制装置とから構成したものである。
【発明の効果】
【００１０】
この発明によれば、設置が困難な移動手摺の帰路側ではなく、移動手摺の往路側に簡単に設置することができるので、短時間で手間を掛けずに潤滑剤を塗布することができ、潤滑剤の交換も簡単にできるという効果がある。
【図面の簡単な説明】
【００１１】
【図１】この発明の実施例１における乗客コンベア用移動手摺の潤滑剤塗布装置を設置しない往路側の移動手摺の案内装置部分を示す断面図である。
【図２】この発明の実施例１における乗客コンベア用移動手摺の潤滑剤塗布装置を設置するために往路側の案内レールの一部を切り欠いた状態を示す斜視図である。
【図３】この発明の実施例１における乗客コンベア用移動手摺の潤滑剤塗布装置を往路側の案内レールの切り欠き部分を利用して設置した状態を示す通常時の断面図である。
【図４】この発明の実施例１における乗客コンベア用移動手摺の潤滑剤塗布装置を往路側の案内レールの切り欠き部分を利用して設置した状態を示す潤滑剤塗布時の断面図である。
【図５】この発明の実施例１における乗客コンベア用移動手摺の潤滑剤塗布装置の主要部の構造を示す正面図である。
【図６】この発明の実施例１における乗客コンベア用移動手摺の潤滑剤塗布装置の主要部の構造を示す側面図である。
【図７】この発明の実施例１における乗客コンベア用移動手摺の潤滑剤塗布装置の主要部の構造を示す背面図である。
【発明を実施するための形態】
【実施例１】
【００１２】
図１はこの発明の実施例１における乗客コンベア用移動手摺の潤滑剤塗布装置を設置しない往路側の移動手摺の案内装置部分を示す断面図、図２は乗客コンベア用移動手摺の潤滑剤塗布装置を設置するために往路側の案内レールの一部を切り欠いた状態を示す斜視図、図３は乗客コンベア用移動手摺の潤滑剤塗布装置を往路側の案内レールの切り欠き部分を利用して設置した状態を示す通常時の断面図、図４は同じく潤滑剤塗布時の断面図、図５は乗客コンベア用移動手摺の潤滑剤塗布装置の主要部の構造を示す正面図、図６は同じく側面図、図７は同じく背面図である。
【００１３】
乗客コンベア用移動手摺と案内レールの往路側の配置構成を図１により説明する。移動手摺１は横断面Ｃ字状であり、略Ｕ字状の案内レール２は、両側の垂直側壁２ａの上端部が外方に水平方向に延長されて上端水平部２ｂが形成されており、案内レール２の両側の上端水平部２ｂにはクリップガイド３が設けられている。そして、横断面Ｃ字状の移動手摺１は案内レール２及びクリップガイド３により案内される。上記案内レール２の内側には、潤滑剤塗布装置の主要部が収容される収容空間４が形成されている。
【００１４】
図２は乗客コンベア用移動手摺の潤滑剤塗布装置を設置するために往路側の案内レールの一部を切り欠いた状態を示し、案内レール２の一方の垂直側壁２ａの上端部の一部と、一方の上端水平部２ｂの一部を切り欠くことにより、潤滑剤塗布装置の潤滑剤形成部及び潤滑剤固定部が出没可能な開口部５を形成している。この開口部５は切り欠かれているので、この部分にクリップガイド３は存在しない。
【００１５】
図３及び図４はいずれも乗客コンベア用移動手摺の潤滑剤塗布装置を往路側の案内レールの切り欠き部分を利用して設置した状態を示すものであり、図３は通常時の潤滑剤が内側に引っ込んだ状態を示し、図４は潤滑剤塗布時の潤滑剤が外側に突出した状態を示している。移動手摺の潤滑剤塗布装置の主要部は、往路側の案内レール２の開口部５が形成されている収容空間４内に収容される。この潤滑剤塗布装置の主要部は、案内レール２の内側に固定され、移動手摺１及び案内レール２の延長方向と直交する方向に配置された両脚部及びこの両脚部の上端部同士を互いに連結する天井部を有するコ字状の枠体６と、この枠体６の天井部下面の両側に対向して設けられ、移動手摺１及び案内レール２の延長方向と直交する方向に配置された左右一対の潤滑剤案内レール７と、この潤滑剤案内レール７間に設けられ、移動手摺１及び案内レール２の延長方向と直交する方向に摺動可能に構成された潤滑剤案内板８と、この潤滑剤案内板８の先端部に固定され、上記開口部５と対向して移動手摺１及び案内レール２の延長方向と直交する方向に移動可能な潤滑剤固定部９と、この潤滑剤固定部９の先端部及び上下面部に設けられ、上記開口部５を通して移動手摺１の一方の内側端部である潤滑剤を塗布すべき箇所と対向して移動手摺１及び案内レール２の延長方向と直交する方向に移動可能なパラフィンからなる潤滑剤形成部１０と、潤滑剤案内板８の先端部下面及び潤滑剤固定部９の後端部に垂直方向に垂下して設けられ、移動手摺１及び案内レール２の延長方向と直交する方向に移動可能な磁石取付板１１と、この磁石取付板１１の一側面に固定された内部磁石１２と、磁石取付板１１の背面とコ字状の枠体６の背面側上部に設けられた横渡し板１３との間に設けられ、通常時は図３に示すように収縮状態にあるばね１４とから構成されている。このばね１４は、潤滑剤塗布時に、移動手摺１の一端部下方でかつ案内レール２の外側に異極の外部磁石１５を配置することにより、図４に示すように、内部磁石１２及び磁石取付板１１が異極の外部磁石１５側に吸引されて、伸長状態となる。これにより、上記開口部５を通して、潤滑剤形成部１０が移動手摺１の一方の内側端部である潤滑剤を塗布すべき箇所に突出して接触することになる。この状態で乗客コンベアを運転することにより、短時間で移動手摺１の内側端部に潤滑剤を塗布することができる。なお、コ字状の枠体６の天井部上面は、案内レール２の内側に固定された状態では、移動手摺１の下面と接触しないように若干の隙間が形成されるようにしている。また、図示では、案内レール２の一方の垂直側壁２ａの上端部の一部と、一方の上端水平部２ｂの一部を切り欠くことにより、潤滑剤塗布装置の潤滑剤形成部１０及び潤滑剤固定部９が出没可能な開口部５を形成した場合について説明したが、実際には案内レール２の他方の垂直側壁２ａの上端部の一部と、他方の上端水平部２ｂの一部を切り欠き、潤滑剤塗布装置の潤滑剤形成部１０及び潤滑剤固定部９が出没可能な開口部５を他方にも形成することにより、移動手摺１の両側の内側端部に潤滑剤を塗布する構成であることは言うまでもない。
【実施例２】
【００１６】
上記実施例１では、内部磁石１２、外部磁石１５及びばね１４を組み合わせ、通常時はばね１４を収縮状態として潤滑剤形成部１０が内側に引っ込んだ状態とし、一方、潤滑剤塗布時はばね１４を伸長状態として潤滑剤形成部１０が外側に突出した状態とした潤滑剤塗布装置について説明したが、この実施例２においては、ばね１４はそのまま用いるが、内部磁石１２、外部磁石１５の代わりに、通常時はばね１４を収縮状態として潤滑剤形成部１０が内側に引っ込んだ状態を停止位置として規制する規制装置としてのストッパ等を設け、潤滑剤塗布時は規制装置としてのストッパを取り外すことにより、ばね１４を伸長状態として潤滑剤形成部１０が外側に突出できる状態とする潤滑剤塗布装置であっても、実施例１と同じ効果を奏することができる。
【符号の説明】
【００１７】
１  移動手摺
２  案内レール
２ａ  垂直側壁
２ｂ  上端水平部
３  クリップガイド
４  収容空間
５  往路側の案内レールに形成された開口部
６  コ字状の枠体
７  潤滑剤案内レール
８  潤滑剤案内板
９  潤滑剤固定部
１０  潤滑剤形成部
１１  磁石取付板
１２  内部磁石
１３  横渡し板
１４  ばね
１５  異極の外部磁石
【図１】
2014024671.tif 000003
【図２】
2014024671.tif 000004
【図３】
2014024671.tif 000005
【図４】
2014024671.tif 000006
【図５】
2014024671.tif 000007
【図６】
2014024671.tif 000008
【図７】
2014024671.tif 000009